(57)【特許請求の範囲】
【請求項１】
引戸枠２に回動可能に装着された磁性体としての係合ロック部材１０と、この係合ロック部材１０の取り付け位置との関係で、引戸枠２と戸枠２１との間に所望の開放空間２２を設定することができるように戸枠２１側に固定的に設けられた電磁石部材２０とから成り、非通電時に於いて、係合ロック部材１０は係合爪片１１の爪部１１ａが電磁石部材２０から離れるように引戸枠２の内側にバネ部材１５のバネ力で弾発的に付勢され、一方、通電時に於いて、前記引戸１を開くと、該引戸１の移動中に前記係合ロック部材１０は電磁石部材２０の極性に対応し、かつ、バネ部材１５のバネ力に抗して回転し、前記係合爪片１１の爪部１１ａが電磁石部材２０の係合部２７に係合し、所望の開放空間２２が設定されることを特徴とする開放状態引戸用ロック装置。
【請求項２】
請求項１に於いて、係合ロック部材１０は、引戸枠２の下部内に固定的に設けられた取付けボックス６を介して枢支されていることを特徴とする開放状態引戸用ロック装置。
【請求項３】
引戸枠２Ｂに摺動可能に装着された金属片としての係合ロック部材１０Ｂと、この係合ロック部材１０Ｂの取り付け位置との関係で、引戸枠２Ｂと戸枠２１Ｂとの間に所望の開放空間を設定することができるように戸枠２１Ｂ側に固定的に設けられた電磁石部材２０Ｂとから成り、非通電時に於いて、係合ロック部材１０Ｂは係合爪片１１Ｂの爪部１１ｂが電磁石部材２０Ｂから離れるように引戸枠２Ｂの内側にバネ部材１５Ｂのバネ力で弾発的に付勢され、一方、通電時に於いて、前記引戸１Ｂを開き、該引戸１Ｂの移動中に前記係合ロック部材１０Ｂが電磁石部材２０Ｂの真上にさしかかると、金属片としての係合ロック部材１０Ｂはバネ部材１５のバネ力に抗して電磁石部材２０Ｂに吸着されて該係合ロック部材１０Ｂの爪部１１ｂが電磁石部材２０Ｂの固定枠２４Ｂの上縁部に係止され、所望の開放空間２２が設定されることを特徴とする開放状態引戸用ロック装置。
【発明の詳細な説明】
【０００１】
【発明の属する技術分野】
本発明は開放状態引戸用ロック装置に関する。本発明は、例えば特別養護老人ホームや病院などの非常口用引戸に適する。
【０００２】
【従来の技術】
従来、特別養護老人ホームや病院などの非常口用引戸は、火災、緊急時等の非常時以外の時は施錠状態になっている場合が多い。非常口はあくまでも非常用であり、非常口を完全に開放しておくことは、特に惚け老人や病人に対して管理上問題があると共に、外部からの侵入（泥棒）も有り得るからである。
【０００３】
しかしながら、非常口と言っても、管理上の観点から常に完全に閉じていなければならないと言う訳ではなく、管理上の問題点を解消できるのであれば、換気の目的から、人が通ることができない開放空間を設定した状態で引戸をロックあるいはストッパーできればより望ましい。
【０００４】
【発明が解決しようとする課題】
しかしながら、従来、特別養護老人ホームや病院などの非常口用引戸に於いて、風を入れたいが人の出入りを防止する開放空間を設定することができる開放状態引戸用ロック装置が存在していない。
【０００５】
そこで、請求項１記載の発明は、上記のような開放空間を設定することができる開放状態引戸用ロック装置を提供することである。そして、本発明の具体的な発明の課題は、引戸を手で開くだけで所望の開放空間が確実に得ることができ、一方、非常時あるいは必要な時に遠隔操作によりロック装置のロック状態を直ちに解除することができることである。
また請求項２記載の発明は、係合ロック部材を引戸枠に簡単に組み込むことができることを目的とする。
【０００６】
【課題を解決するための手段】
本発明の開放状態引戸用ロック装置は、引戸枠２に回動可能に装着された磁性体としての係合ロック部材１０と、この係合ロック部材１０の取り付け位置との関係で、引戸枠２と戸枠２１との間に所望の開放空間２２を設定することができるように戸枠２１側に固定的に設けられた電磁石部材２０とから成り、非通電時に於いて、係合ロック部材１０は係合爪片１１の爪部１１ａが電磁石部材２０から離れるように引戸枠２の内側にバネ部材１５のバネ力で弾発的に付勢され、一方、通電時に於いて、前記引戸１を開くと、該引戸１の移動中に前記係合ロック部材１０は電磁石部材２０の極性に対応し、かつ、バネ部材１５のバネ力に抗して回転し、前記係合爪片１１の爪部１１ａが電磁石部材２０の係合部２７に係合し、所望の開放空間２２が設定されることを特徴とする。
【０００７】
ここで、「所望の開放空間２２」とは、通常の平均的な２〜３歳児が通り抜けることができない引戸１と戸枠２１との隙間を言う。
【０００８】
【発明の実施の形態】
以下、図面に示す本発明の実施の形態を、引戸の枠（縦框又は上下の横框）に取り付けた係合ロック部材と、この係合ロック部材に対する戸枠の外表面側に取り付けた電磁石部材との係脱関係で説明する。
【０００９】
まず図１ないし図５に基づき本発明の使用状態の一例について説明する。１は、例えば非常口の引戸である。この引戸１には、普通一般の引戸や引戸式の窓が含まれる。周知のように、引戸１は金属性の中空引戸枠あるいは窓枠２と、この引戸枠２内に取り付けられたガラス３とから成るタイプが普及している。そして、引戸１の下部には、図２で示すように滑車４が適宜に枢支されている。
【００１０】
次に１０は引戸１の引戸枠２に回動可能に装着された係合ロック部材である。前記引戸枠２、本実施例では戸尻側の引戸枠（縦框）２の下部には、開口部を有する取付けボックス６が固定的に内装されている。この取付けボックス６に代えて、開口部を有する支持板や枠状ないし棒状の支持部材を引戸枠２の下部に水平状態に取り付けても良い。要は取付けボックス６や支持部材は、後述する係合爪片の爪部１１ａが引戸枠２の下面から出没可能であり、かつ、係合ロック部材１０の後端部を支持できれば良い。なお、取付けボックス６は、一側面開口のボックス本体３１と、このボックス本体３１に複数個の固着具３３を介して一体的に固定され、かつ、窓部３４を有する支持板３２とから成る。
【００１１】
しかして、係合ロック部材１０は、取付け上の便宜を考慮し、本実施例では中空引戸枠２の下部内に固定された取付けボックス６を介して枢支されている。そして、係合ロック部材１０は、係合爪片１１と、この係合爪片１１の後端部に固定的に装着された磁石１２とから成り、前記係合爪片の爪部１１ａは、前述した開口部に臨んでいる。また係合爪片１１の中央部には取付けボックス６に左右の軸孔７を介して支承される突起軸１３（突起軸１３に代えて取付けボックス６に横設軸架された枢支ピンでも良い。）が設けられている。
【００１２】
次に１５は戸尻下部に適宜に内装され、かつ、前記係合爪片１１の爪部１１ａを常時引戸枠２の内部側に弾発的に付勢するバネ部材である。このバネ部材１５は、本実施例では係合爪片１１の中央部に装着されたコイルバネの一種であるネジリバネが使用され、図４で示すようにその一端部１５ａは引戸枠２の取付けボックス６の内部に水平方向に設けられた棒状のストッパー１６に、一方、他端部１５ｂは係合爪片１１から突出する磁石１２の上縁部にそれぞれ当接ないし圧接している。なお、バネ部材１５は、板バネ、他のコイルバネなど係合爪片１１を一方向に付勢する付勢バネを適宜に採用しても良い。
【００１３】
次に２０は戸枠２１の外表面側に取り付けられた電磁石部材である。この電磁石部材２０の取り付け位置は、図１で示すように「風を入れたいが人の出入りを防止する開放空間２２を設定するための位置」であることが必要である。したがって、開放しようとする引戸１の横幅や戸尻に取り付けた係合ロック部材１０の位置を考慮すべきである。
【００１４】
しかして、電磁石部材２０は、戸枠２１の外表面の適宜位置に複数個の固着具２３を介して固定された固定枠２４と、この固定枠２４の収納部２５内に設けられた電磁石２６とから成り、前記固定枠２４の引戸開放側の上端部には、係合爪片１１の爪部１１ａと係合可能な突起状の係合部２７が形成されている。また前記電磁石２６は、磁力をベストの状態で発揮させることができるように固定枠２４の開口から露出している。そして、電磁石２６は図示しない電源や遠隔制御装置と電気的に接続している。なお、２８は戸枠２１のレールである。
【００１５】
上記構成に於いて、まず図２が非通電時の状態である。この非通電時の状態は、停電時はもちろんであるが、例えば火災など非常時の場合に遠隔制御装置の制御によりなされる。しかして、非通電時の状態になると、電磁石部材２０の電磁石２６には磁力が生じない反面、係合ロック部材１０の後端部がバネ部材１５のバネ力で引戸枠２の外側に常時付勢されているので、係合ロック部材１０は図２を基準にすると、反時計方向に回転している。その結果、係合爪片１１の爪部１１ａが電磁石部材２０から離れ、引戸枠２内に入り込む。そこで、引戸１を完全に開放することができる。
【００１６】
次に図４が通電の状態である。この通電状態は、風を入れたいが人の出入りを防止する開放空間２２を設定したい場合になされる。しかして、遠隔制御装置の制御により通電状態になると、電磁石部材２０の電磁石２６に磁力が生じる。そこで引戸１を手で開き、係合ロック部材１０が電磁石部材２０に接近して来ると、係合ロック部材１０は電磁石部材２０の極性に対応し、かつ、バネ部材１５のバネ力に抗して回転する。その結果、係合爪片１１の爪部１１ａが電磁石部材２０の係合部２７に係合する。したがって、引戸１を開放空間２２よりもさらに開けようとしても係合ロック部材１０でロックされ、開けることができない。
【００１７】
ここで、「係合ロック部材１０が電磁石部材２０の極性に対応する」とは、少なくとも電磁石２６の上部側がＳ極ならば磁石１２の下部側もＳ極、又は電磁石２６の上部側がＮ極ならば磁石１２の下部側もＮ極のように、同磁極同士が反発し合う場合を言う。したがって、この実施例のように同磁極同士が反発し合う場合のみならず、異磁極同士が互いに吸着し合う場合（電磁石２６の上部側がＳ極に対し、係合爪片１１の爪部１１ａがＮ極の例）を加味した場合も含まれる。
【００１８】
【実施例】
以下、本発明の「風を入れたいが人の出入りを防止する開放空間を設定することができる」開放状態引戸用ロック装置の実施例を列挙する。なお、実施例の説明に於いては、図面に発明の実施の形態で説明した符号をそのまま付し、あるいは同様の符号を付し、重複する説明を省略する。
【００１９】
まず図２ないし図５に基づき、本発明の実施の形態で説明した第１実施例を説明する。この第１実施例の開放状態引戸用ロック装置Ｘは、引戸１の引戸枠２に回動可能に装着された磁性体としての係合ロック部材１０と、この係合ロック部材１０の取り付け位置との関係で、引戸枠２と戸枠２１との間に所望の開放空間２２を設定することができるように戸枠２１側に固定的に設けられた電磁石部材２０とから成り、非通電時に於いて、係合ロック部材１０は係合爪片１１の爪部１１ａが電磁石部材２０から離れるように引戸枠２の内側にバネ部材１５のバネ力で弾発的に付勢され、一方、通電時に於いて、係合ロック部材１０は電磁石部材２０の極性に対応し、かつ、バネ部材１５のバネ力に抗して回転し、引戸が所望の開放空間２２よりさらに開かないように係合爪片１１の前記爪部１１ａが電磁石部材２０に係合する。しかして、具体的な細部の構成は、発明の実施の形態で詳細に説明したので省略する。
【００２０】
次に図６ないし図８は第２実施例の開放状態引戸用ロック装置Ｘ１である。なお、図６は第２実施例を用いた実施の形態を説明するための説明図である。
【００２１】
このロック装置Ｘ１は、引戸枠２Ａに回動可能に装着された磁石片としての係合ロック部材１０Ａと、この係合ロック部材１０Ａの取り付け位置との関係で、引戸１Ａと戸枠２１Ａとの間に所望の開放空間２２Ａを設定することができるように戸枠２１Ａ側に固定的に設けられた電磁石部材２０Ａとから成り、非通電時に於いて、係合ロック部材１０Ａは係合爪片１１Ａの爪部１１ａが電磁石部材２０Ａから離れるように引戸枠２Ａの内側にバネ部材１５Ａのバネ力で弾発的に付勢され、一方、通電時に於いて、係合ロック部材１０Ａは電磁石部材２０Ａの極性に対応し、かつ、バネ部材１５Ａのバネ力に抗して回転し、引戸が所望の開放空間２２Ａよりさらに開かないように係合爪片１１Ａの前記爪部１１ａが電磁石部材２０Ａに係合する。すなわち、第２実施例は係合ロック部材１０Ａの全体が磁石である点が第１実施例と異なる。
【００２２】
しかして、この第２実施例のロック装置Ｘ１は、通電時に於いて、引戸１Ａを開き、係合ロック部材１０Ａが電磁石部材２０Ａの真上にさしかかると、同磁極の部分（ＳとＳ）同士は互いに反発し、一方、異磁極の部分（ＮとＳ）同士は互いに吸着し合う。
【００２３】
したがって、係合ロック部材１０Ａは、バネ部材１５Ａのバネ力に抗して回転し、係合爪片１１Ａの爪部１１ａか電磁石部材２０Ａの係合部２７Ａに係合する。
【００２４】
次に図９ないし図１１は第３実施例の開放状態引戸用ロック装置Ｘ２である。このロック装置Ｘ２は、引戸枠に摺動可能に装着された金属片としての係合ロック部材１０Ｂと、この係合ロック部材１０Ｂの取り付け位置との関係で、引戸枠２Ｂと戸枠２１Ｂとの間に所望の開放空間を設定することができるように戸枠２１Ｂ側に固定的に設けられた電磁石部材２０Ｂとから成り、非通電時に於いて、係合ロック部材１０Ｂは係合爪片１１Ｂの爪部１１ｂが電磁石部材２０Ｂから離れるように引戸枠２Ｂの内側にバネ部材１５Ｂのバネ力で弾発的に付勢され、一方、通電時に於いて、係合ロック部材１０Ｂは電磁石部材２０Ｂに吸引され、かつ、バネ部材１５Ｂのバネ力に抗して移動し、引戸が所望の開放空間よりさらに開かないように係合爪片１１Ｂの前記爪部１１ｂが電磁石部材２０Ｂに係合する。すなわち、第２実施例は係合ロック部材１０Ｂが金属片である点が第１実施例と異なる。
【００２５】
しかして、係合ロック部材１０Ｂには、所要間隔を有して上下方向に形成された２個のバネ収納部３０が設けられ、かつ、取付けボックス６Ｂに内装されている。なお、取付けボックス６Ｂは、一側面開口のボックス本体３１Ｂと、このボックス本体３１Ｂに複数個の固着具３３Ｂを介して一体的に固定される支持板３２Ｂとから成り、前記支持板３２Ｂには、電磁石部材２０Ｂの電磁石２６Ｂが臨む窓部３４Ｂ及び係合爪片１１Ｂの爪部１１ｂが貫通する貫通孔３５がそれぞれ形成されている。
【００２６】
上記構成に於いて、ロック装置Ｘ２は、通電時に於いて、引戸１Ｂを開き、係合ロック部材１０Ｂが電磁石部材２０Ｂの真上にさしかかると、金属片としての係合ロック部材１０Ｂはバネ部材１５Ｂのバネ力に抗して電磁石部材２０Ｂに吸引され、本実施例では水平状態を維持したまま電磁石部材２０Ｂ側に下降する。その結果、係合ロック部材１０Ｂの爪部１１ｂが電磁石部材２０Ｂの固定枠２４
Ｂの上縁部に係止する。
【００２７】
【発明の効果】
以上の説明から明らかなように、本発明にあっては次に列挙するような効果がある。
（１）特別養護老人ホームや病院の引戸窓あるいは非常口の引戸に使用し、引戸をロックした状態で所望の開放空間を得ることができる。したがって、管理上の問題点を解消できると同時に、換気の目的を達成することができる。
（２）引戸を手で開くだけで自動的にロック状態になり、所望の開放空間が確実に得ることができる。
（３）非常時あるいは必要な時に遠隔操作によりロック装置のロック状態を直ちに解除することができる。
（４）請求項２記載の発明は、係合ロック部材を引戸枠に簡単に組み込むことができる。
【図面の簡単な説明】
図１ないし図５は本発明の実施の形態を説明するための各説明図。特に図２ないし図５は本発明の第１実施例の各説明図。図６ないし図８は本発明の第２実施例を示す各説明図。図９ないし図１１は本発明の第３実施例を示す概略説明図。
【図１】第１実施例を用いた実施の形態を説明するための説明図。
【図２】第１実施例の概略断面説明図（非通電状態の場合）。
【図３】第１実施例の要部の分解斜視図。
【図４】第１実施例の概略断面説明図（通電状態の場合）。
【図５】第１実施例の斜視からの説明図。
【図６】第２実施例を用いた実施の形態を説明するための説明図。
【図７】第２実施例の概略断面説明図（係合ロック部材は、非通電状態の場合は
実線の位置で、一方、通電状態の場合は仮想線の位置である。）。
【図８】第２実施例の斜視からの説明図。
【図９】第３実施例の概略断面説明図（非通電状態の場合）。
【図１０】第３実施例の分解斜視図。
【図１１】第３実施例の概略断面説明図（通電状態の場合）。
【符号の説明】
１…引戸、２…引戸枠、６…取付けボックス、１０…係合ロック部材、１１…係合爪片、１１ａ…爪部、１２…磁石、１５…バネ部材、２０…電磁石部材、２１…戸枠、２２…開放空間、２４…固定枠、２６…電磁石、２７…係合部。
【図１】
0003657035.tif 000002
【図２】
0003657035.tif 000003
【図３】
0003657035.tif 000004
【図４】
0003657035.tif 000005
【図５】
0003657035.tif 000006
【図６】
0003657035.tif 000007
【図７】
0003657035.tif 000008
【図８】
0003657035.tif 000009
【図９】
0003657035.tif 000010
【図１０】
0003657035.tif 000011
【図１１】
0003657035.tif 000012